(57)【要約】【課題】  簡易な操作でベルトの長さを調整できるブレスレット型静電気消去装置を提供する。【解決手段】  外カバーと、その下の静電気収集板と、その下の位置決め手段と、その下の静電気収集ベースと、一端が電気収集板に接続し他端が位置決め手段に連結するベルト部とを含み、該外カバーは上面に一端が該外カバーを貫通して該静電気収集板に接続する係合突起を設け、底面には長手方向にガイドレールを形成し、長手方向の両端縁部が下方に延伸して側壁を形成し、その内面を係止壁とし、かつスライド溝を形成し、静電気収集板は該係合突起の一端が接続し、かつ長手方向の一端が該ベルト部の一端に接続し、該位置決め手段は、弾性部材と、対向して設けられ該弾性部材を支持する２つのストッパーブロックと、該外カバーのガイドレールに従い、かつストッパーブロックに同期して移動するスライド板とを具え、該スライド板の一端が該ベルト部の他端に接続する。【選択図】  図１
0003130828.tif 000002
【実用新案登録請求の範囲】
【請求項１】
外カバーと、該外カバーの下方に位置する静電気収集板と、該静電気収集板の下方に位置する位置決め手段と、該位置決め手段の下方に位置する静電気収集ベースと、及び一端が該静電気収集板に接続し、他端が該位置決め手段に連結するベルト部とを含んでなるブレスレット型静電気消去装置であって、
該外カバーは上面に一端が該外カバーを貫通して該静電気収集板に接続する係合突起を設け、底面には長手方向に少なくとも１以上のガイドレールを形成し、かつ長手方向の両端縁部が下方に延伸して側壁を形成し、該側壁の内面を係止壁とし、さらに該側壁にスライド溝を形成してなり、
該静電気収集板は、該係合突起の一端が接続し、かつ長手方向の一方の端縁部が該ベルト部の一端に接続し、
該位置決め手段は、弾性部材と、対向して設けられ、該弾性部材の付勢力で該外カバーの係止壁に圧接し、かつ係止する２つのストッパーブロックと、該外カバーのガイドレールに従って移動するとともに、該ストッパーブロックに同期して移動するスライド板とを具え、該スライド板の一端が該ベルト部の他端に接続し、
該静電気収集ベースは、該位置決め手段の下方に位置して該外カバーに接続し、
該２つのストッパーブロックを押圧して該ストッパーブロックの該係止壁に対する係止状態を解除すると、該スライド板を移動して該ベルト部の他端を連動させ、該ベルト部の長さが調整できるように構成することを特徴とするブレスレット型静電気消去装置。
【請求項２】
前記外カバーの底面に形成するガイドレールを２本形成し、該スライド板の上面の長手方向の両端縁部には、該ガイドレールに従って移動する複数のガイドブロックを形成し、該複数のガイドブロックの間を、該ストッパーブロックの一端が進入する可動ギャップとし、かつ該ストッパーブロックのスライド板側の一端には可動ギャップの外部に当止するフランジを形成することを特徴とする請求項１に記載のブレスレット型静電気消去装置。
【請求項３】
前記スライド板の両端縁部にそれぞれ軸支孔を穿設し、該ベルト部の一端の両側面にそれぞれ支軸を設け、該支軸を軸支孔に軸支することを特徴とする請求項１に記載のブレスレット型静電気消去装置。
【請求項４】
前記外カバーの係止壁が直線に沿って鋸刃状を呈し、該係止壁に係止する該ストッパーブロックを凸ブロック状に形成することを特徴とする請求項１に記載のブレスレット型静電気消去装置。
【請求項５】
前記２つのストッパーブロックの該スライド板側の面にそれぞれ支持突起を一体に形成し、両該支軸の間に該弾性部材を設けるとともに、それぞれの該ストッパーブロックの外側面上には、外カバーのスライド溝に沿って移動する押しボタンを設けることを特徴とする請求項１に記載のブレスレット型静電気消去装置。
【請求項６】
前記静電気収集ベースの長手方向の一端であって、上方に突起した連結板を対向する位置にそれぞれ一体に形成し、かつ該連結板の内側の面には円形凸ブロックを一体に形成し、
該静電気収集板の該連結板に対応する位置には、下方に突起し、かつ孔部を穿設した耳部を形成し、
該外カバーには、該連結板に対応する位置に嵌合溝を形成し、
該連結板の円形凸ブロックを該耳部の孔部に嵌着し、さらに該連結板を該外カバーの嵌合溝に嵌着することを特徴とする請求項１に記載のブレスレット型静電気消去装置。
【請求項７】
前記静電気収集ベースの他端に上方に向かって突起する垂直板を対向する位置にそれぞれ形成し、かつ該垂直板にそれぞれ孔部を穿設し、
静電気収集板の該垂直板に対応する位置には、上方に突起し、かつ孔部を穿設した耳部を形成し、
該外カバーの該垂直板に対応する位置には孔部を形成し、
該ベルト部の他端には、両側面に突起状の支軸をそれぞれ設け、
該ベルト部の支軸を該垂直板の孔部と、該静電気収集板の該耳部の孔部と、該外カバーの孔部とに挿通させて該ベルト部を軸支することを特徴とする請求項１に記載のブレスレット型静電気消去装置。
【考案の詳細な説明】
【技術分野】
【０００１】
この考案は、人体に帯びる静電気を放出して消去する静電気消去装置に関し、特に使用者の手首につけるブレスレット型の静電気消去装置に関する。
【背景技術】
【０００２】
ハイテク産業の工場などでは、作業員の身体に帯びる静電気が製造する製品に対する影響を与え、瑕疵が発生しないように、作業員の身体の静電気を消去する必要がある。
【０００３】
従来の静電気消去装置は、手首につけるブレスレット型であって、導線を介して接地に接続し、ブレスレット型の装置、導線を経由して、人体に帯びる静電気を接地に放出して消去する。
【０００４】
かかるブレスレット型の静電気消去装置は、人体の手首の太さが人によって異なるため、ベルトの長さを調整して使用者個人の手首の太さに合わせる必要がある。
【０００５】
従来の技術では、止め金具を具え、該留め金具を引き起こしてブレスレットを緩め、ベルトの長さを調整し、再度止め金具を操作して位置決めする。
【０００６】
但し、かかる片手で止め金具を引き起こし、同一の手でさらにベルトの長さを調整し、再度止め金具を操作して位置決めする動作は、極めて不便であって、作業の利便性に影響を与える。
【考案の開示】
【考案が解決しようとする課題】
【０００７】
そこで、簡易な操作でベルトの長さを調整できるブレスレット型の静電気消去装置の開発が望まれている。
【０００８】
この考案は、片手で容易にベルトの長さを調整することができるブレスレット型の静電気消去装置を提供することを課題とする。
【課題を解決するための手段】
【０００９】
そこで本考案者は、従来の技術に鑑み鋭意研究を重ねた結果、外カバーと、該外カバーの下方に位置する静電気収集板と、該静電気収集板の下方に位置する位置決め手段と、該位置決め手段の下方に位置する静電気収集ベースと、及び一端が該静電気収集板に接続し、他端が位置決め手段に連結するベルト部とを含んでなるブレスレット型静電気消去装置であって、
該外カバーは上面に一端が該外カバーを貫通して該静電気収集板に接続する係合突起を設け、底面には長手方向に少なくとも１以上のガイドレールを形成し、かつ長手方向の両端縁部が下方に延伸して側壁を形成し、該側壁の内面を係止壁とし、さらに該側壁にスライド溝を形成してなり、
該静電気収集板は、該係合突起の一端が接続し、かつ長手方向の一方の端縁部が該ベルト部の一端に接続し、
該位置決め手段は、弾性部材と、対向して設けられ、該弾性部材の付勢力で該外カバーの係止壁に圧接し、かつ係止する２つのストッパーブロックと、該外カバーのガイドレールに従って移動するとともに、該ストッパーブロックに同期して移動するスライド板とを具え、該スライド板の一端が該ベルト部の他端に接続し、
該静電気収集ベースは、該位置決め手段の下方に位置して該外カバーに接続してなり、、
該２つのストッパーブロックを押圧して該ストッパーブロックの該係止壁に対する係止状態を解除すると、該スライド板を移動して該ベルト部の他端を連動させ、該ベルト部の長さが調整できるように構成したブレスレット型静電気消去装置の構造によって課題を解決できる点に着眼し、係る知見に基づき本考案を完成させた。
以下、この考案について具体的に説明する。
【００１０】
請求項１に記載するブレスレット型静電気消去装置は、外カバーと、該外カバーの下方に位置する静電気収集板と、該静電気収集板の下方に位置する位置決め手段と、該位置決め手段の下方に位置する静電気収集ベースと、及び一端が該静電気収集板に接続し、他端が該位置決め手段に連結するベルト部とを含んでなるブレスレット型静電気消去装置であって、
該外カバーは上面に一端が該外カバーを貫通して該静電気収集板に接続する係合突起を設け、底面には長手方向に少なくとも１以上のガイドレールを形成し、かつ長手方向の両端縁部が下方に延伸して側壁を形成し、該側壁の内面を係止壁とし、さらに該側壁にスライド溝を形成してなり、
該静電気収集板は、該係合突起の一端が接続し、かつ長手方向の一方の端縁部が該ベルト部の一端に接続し、
該位置決め手段は、弾性部材と、対向して設けられ、該弾性部材の付勢力で該外カバーの係止壁に圧接し、かつ係止する２つのストッパーブロックと、該外カバーのガイドレールに従って移動するとともに、該ストッパーブロックに同期して移動するスライド板とを具え、該スライド板の一端が該ベルト部の他端に接続し、
該静電気収集ベースは、該位置決め手段の下方に位置して該外カバーに接続する。
【００１１】
請求項２に記載するブレスレット型静電気消去装置は、請求項１における外カバーの底面に形成するガイドレールを２本形成し、該スライド板の上面の長手方向の両端縁部には、該ガイドレールに従って移動する複数のガイドブロックを形成し、該複数のガイドブロックの間を、該ストッパーブロックが進入する可動ギャップとし、かつ該ストッパーブロックのスライド板側の一端には可動ギャップの外部に当止するフランジを形成する。
【００１２】
請求項３に記載するブレスレット型静電気消去装置は、請求項１におけるスライド板の両端縁部にそれぞれ軸支孔を穿設し、該ベルト部の一端の両側面にそれぞれ支軸を設け、該支軸を軸支孔に軸支する。
【００１３】
請求項４に記載するブレスレット型静電気消去装置は、請求項１における外カバーの係止壁が直線に沿って鋸刃状を呈し、該係止壁に係止する該ストッパーブロックを凸ブロック状に形成する。
【００１４】
請求項５に記載するブレスレット型静電気消去装置は、請求項１における２つのストッパーブロックの該スライド板側の面にそれぞれ支軸を一体に形成し、両該支軸の間に該弾性部材を設けるとともに、それぞれの該ストッパーブロックの外側面上には、外カバーのスライド溝に沿って移動する押しボタンを設ける。
【００１５】
請求項６に記載するブレスレット型静電気消去装置は、請求項１における静電気収集ベースの長手方向の一端であって、上方に突起した連結板を対向する位置にそれぞれ一体に形成し、かつ該連結板の内側の面には円形凸ブロックを一体に形成し、
該静電気収集板の該連結板に対応する位置には、下方に突起し、かつ孔部を穿設した耳部を形成し、
該外カバーには、該連結板に対応する位置に嵌合溝を形成し、
該連結板の円形凸ブロックを該耳部の孔部に嵌着し、さらに該連結板を該外カバーの嵌合溝に嵌着する。
【００１６】
請求項７に記載するブレスレット型静電気消去装置は、請求項１における静電気収集ベースの他端に上方に向かって突起する垂直板を対向する位置にそれぞれ形成し、かつ該垂直板にそれぞれ孔部を穿設し、
静電気収集板の該垂直板に対応する位置には、上方に突起し、かつ孔部を穿設した耳部を形成し、
該外カバーの該垂直板に対応する位置には孔部を形成し、
該ベルト部の他端には、両側面に突起状の支軸をそれぞれ設け、
該ベルト部の支軸を該垂直板の孔部と、該静電気収集板の該耳部の孔部と、該外カバーの孔部とに挿通させて該ベルト部を軸支する。
【考案の効果】
【００１７】
この考案によるブレスレット型の静電気消去装置は、簡易な操作でベルトの長さを容易に調整することができ、使用上便利であり、静電気消去装置のベルトの長さが使用者の手首の太さに合わないことによる不便を容易に解消でき、静電気消去装置を付けて行う作業の効率を高めることができるという利点を有する。
【考案を実施するための最良の形態】
【００１８】
この考案は、簡易な操作でベルトの長さを調整できるブレスレット型の静電気消去装置を提供するものであって、カバーと、該外カバーの下方に位置する静電気収集板と、該静電気収集板の下方に位置する位置決め手段と、該位置決め手段の下方に位置する静電気収集ベースと、及び一端が該静電気収集板に接続し、他端が位置決め手段に連結するベルト部とによって構成し、ベルトの長さを容易に調整でき、使用上の利便性を高めるという目的を達成する。
係る構成のブレスレット型の静電気消去装置について、その構造と特徴を詳述するために具体的な実施例を挙げ、以下に説明する。
【実施例】
【００１９】
この考案によるブレスレット型静電気消去装置を図１から図６に開示する。図面によれば、外カバー１０と、静電気収集板２０と、位置決め手段３０と、静電気収集ベース４０とを含む。
【００２０】
外カバー１０の上面には、一端が外カバー１０を貫通して下方に位置する静電気収集板２０に接続する係合突起１１を設ける。係合突起１１の他端には、別途導線の一端が接続する係合部材（図示しない）を着脱自在に設け、該導線の他端が接地に接続して使用者の身体に帯びる静電気を放出する経路を構成する。
【００２１】
また、外カバー１０の底面には長手方向に平行する２本のガイドレール１２を形成する。ガイドレール１２は下方に凸出する長方体である。さらに、外カバー１０の長手方向の両端縁部は下方に延伸して側壁を構成し、該側壁の
内面を係止壁１３とする。係止壁１３は、直線に沿って鋸刃状を呈する。実施例においては、図示するように複数の凸部と凹部とを直線に沿って互い違いに違い配列する。また、該鋸刃状部より下方の位置にスライド溝１４を形成する。
【００２２】
また、外カバー１０は、長手方向の一方の端縁部の下方には、嵌合溝１５を対向する位置にそれぞれ形成し、（図４参照）。他端の下方には対向する位置に嵌着溝１６（円形孔）をそれぞれ穿設する。
【００２３】
静電気収集板２０は外カバー１０の下方に位置し、中央の位置に係合突起１１が貫通する孔部２１を穿設する。また、静電気収集板２０は幅をやや狭くして、長手方向の一方の端縁部には、下方に延伸する耳部２２を対向する位置にそれぞれ一体に形成する。耳部２２には孔部２２１を穿設する。また、他方の端縁部にも下方に延伸する耳部２３を対向する位置にそれぞれ一体に形成する。耳部２３には孔部２３１を穿設する。
【００２４】
位置決め手段３０は静電気収集板２０の下方に設ける、位置決め手段３０にはスライド板３１と、弾性部材３３と、対向して設けられ、該弾性部材３３の付勢力によって外カバー１０の係止壁１３に圧接し、かつ係止する２つのストッパーブロック３２を設ける。スライド板３１は、２つのストッパーブロック３２と同期して移動する。
【００２５】
また、スライド板３１の上面には長手方向の両端縁部にそれぞれガイドブロック３１１を二つずつ設ける。ガイドブロック３１１は外カバー１０のガイドレール１２に従って移動する。両ガイドブロック３１１の間には可動ギャップ３１２が形成される。該可動ギャップ３１２にはストッパーブロック３２の一端が進入する。ストッパーブロック３２のスライド板３１側の一端には、可動ギャップ３１２の外部に当止するフランジ３２１を形成する。
【００２６】
２つのストッパーブロック３２はスライド板３１側の面にそれぞれ支持突起３２２を一体に形成し、両支持突起３２２の間に弾性部材３３を設けて支持する。また、ストッパーブロック３２の外側面は外方向に突起した凸ブロック状に形成する。かかる構成によって、ストッパーブロック３２は弾性部材３３の付勢力によって係止壁１３に圧接し、係止壁１３の凹状部に該側面の凸ブロック状部が係止した状態となる。
【００２７】
また、ストッパーブロック３２の外側面上のやや下方の位置には押しボタン３４を嵌着する。押しボタン３４は、外カバー１０のスライド溝１４に沿って移動し、且つスライド板３１に連動し、同期して移動する。
【００２８】
また、スライド板３１の長手方向の両端縁部下方にはそれぞれ軸支孔３１３を穿設する。ベルト部５０の一端には両側面にそれぞれ支軸５１を設ける（内部に弾性部材を設けた支軸である。これは従来の一般的な技術に属する）。支軸５１を軸支孔３１３に挿通させて、ベルト部５０の一端をスライド板３１の一端に軸支する。
【００２９】
静電気収集ベース４０は、位置決め手段３０の下方に位置し、静電気収集板２０、外カバー１０に連結する。静電気収集ベース４０の長手方向の一端には上方に突起した連結板４１を対向する位置にそれぞれ一体に形成する。連結板４１の内側の面には円形凸ブロック４１１を一体に形成する。円形凸ブロック４１１を静電気収集板２０の耳部２２に穿設した孔部２２１に嵌着し、連結板４１を外カバー１０に形成した嵌合溝１５に嵌着する。よって、連結板４１と、耳部２２と、嵌合溝1５とは、それぞれ対応する位置に形成する。
【００３０】
静電気収集ベース４０の他端には上方に向かって突起する垂直板４２を対向する位置にそれぞれ形成する。垂直板４２にはそれぞれ孔部４２１を穿設する。孔部４２１と、静電気収集板２０の耳部２３の孔部２３１と、外カバー１０の嵌着溝１６とは、それぞれ対応する位置に形成する。
【００３１】
ベルト部５０の他端にも両側面に支軸５２をそれぞれ設ける（内部に弾性部材を設けた支軸である。これは従来の一般的な技術に属する）。支軸５２を静電気収集板２０の孔部２３１と静電気収集ベース４０が孔部４２１と外カバー１０の嵌着溝１６とに挿通させてベルト部５０の一端を軸支する。よって、外カバー１０内に、位置がずれることないように位置決めされる。ベルト部５０の他端はスライド板３１に従って移動する。
【００３２】
この考案によるブレスレット型静電気消去装置は上述するそれぞれの部材を組み合わせて構成する。この場合、静電気収集板２０と、外カバー１０の係合突起１１とはリベットで鋲着する。両ストッパーブロック３２の支持突起３２２の間には弾性部材３３を設ける。また、両ストッパーブロック３２はそれぞれ一端をスライド板３１の可動ギャップ３１２内に収納する。
【００３３】
スライド板３１の短手方向の一端にベルト部５０の一端を軸支し、スライド板３１を静電気収集板２０と静電気収集ベース４０との間に設置する。
【００３４】
次いで静電気収集ベース４０の連結板４１を静電気収集板２０と外カバー１０とに連結する。静電気収集ベース４０の垂直板４２は静電気収集板２０と外カバー１０と、ベルト部５０の他端とに連結する。
【００３５】
最後に押しボタン３４の一端を外カバー１０のスライド溝１４からストッパーブロック３２に嵌着して組み立てを完成させる。
【００３６】
図７、８に開示するように、この考案によるブレスレット型静電気消去装置のベルト部５０の長さを調整する場合、両側面の押しボタン３４を押し圧すると、ストッパーブロック３２が内方向に移動する。この状態においてストッパーブロック３２が外カバー１０の係止壁１３から離れ係止状態が暫時解除される。同時にスライド板３１が移動できるようになる。スライド板３１のガイドブロック３１１は、外カバー１０のガイドレール１２に従って移動する。よって両側面の押しボタンを指で押し圧するとともに、押しボタン３４を移動させると、スライド板３１が移動し、ベルト部５０の他端も連動して移動する。従ってベルト部５０の長さを適宜に調整することができる。
【００３７】
図９に開示するように、ベルト部５０の長さを適宜に調整した後、押しボタン３４に対する押し圧を開放すると、両ストッパーブロック３２が弾性部材３３の付勢力によって外方向に移動し、再度外カバー１０の係止壁１３に当接し、その凹状部に係止する。よって、スライド板３１が位置決めされて動くことがなくなる。即ち、ベルト部５０の長さが調整され、適宜な位置に位置決めされて移動しなくなる。係る操作によって使用者の手首の太さに合わせて適宜に調整することができ、且つ緩むことがない。
【００３８】
上述するように、この考案によるブレスレット型静電気消去装置は、片手による簡単な操作でベルト部５０の長さを調整することができる。即ち、指で両押しボタン３４を押し圧して移動させ、押し圧を開放するだけの簡単な操作でベルト部５０の長さを調整することができる。よって、従来の技術に見られるように留め金を引き起こす必要もなく、また、ベルト部５０が緩むこともなく、使用者である作業者が機械を操作する動作に影響することなく、早く確実にベルト部５０の長さの調整を行うことができる。
【００３９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案請求の範囲に属するものとする。
【図面の簡単な説明】
【００４０】
【図１】この考案によるブレスレット型静電気消去装置の分解図である。
【図２】図１に開示するブレスレット型静電気消去装置の外観を示した斜視図である。
【図３】図２に開示する３−３線に沿った断面図である。
【図４】図３に開示する４−４線に沿った断面図である。
【図５】図２に開示する５−５線に沿った断面図である。
【図６】図２に開示する６−６線に沿った断面図である。
【図７】この考案によるブレスレット型静電気消去装置縦断面図である。
【図８】この考案によるブレスレット型静電気消去装置水平方向の断面図である。
【図９】この考案によるブレスレット型静電気消去装置においてベルト部の長さを調整した状態を示した断面説明図である。
【符号の説明】
【００４１】
１０   外カバー
１１   係合突起
１２   ガイドレール
１３   係止壁
１４   スライド溝
１５   嵌合溝
１６   嵌着溝
２０   静電気収集板
２１   孔部
２２   耳部
２２１ 孔部
２３   耳部
２３１ 孔部
３０   位置決め手段
３１   スライド板
３１１ ガイドブロック
３１２ 可動ギャップ
３１３ 軸支孔
３２   ストッパーブロック
３２１ フランジ
３２２ 支持突起
３３   弾性部材
３４   押しボタン
４０   静電気収集ベース
４１   連結板
４１１ 円形凸ブロック
４２   垂直板
４２１ 孔部
５０   ベルト部
５１   支軸
５２   支軸
【図１】
0003130828.tif 000003
【図２】
0003130828.tif 000004
【図３】
0003130828.tif 000005
【図４】
0003130828.tif 000006
【図５】
0003130828.tif 000007
【図６】
0003130828.tif 000008
【図７】
0003130828.tif 000009
【図８】
0003130828.tif 000010
【図９】
0003130828.tif 000011